(57)【特許請求の範囲】
【請求項１】
蒸気タービンの水蒸気と不凝縮ガスとを含むタービン排気ガスを水平方向に導入する排気ガス導入部と、該排気ガス導入部から導入された前記タービン排気ガスに対して冷却水を噴霧して冷却する蒸気冷却室と、該蒸気冷却室の下部に配置されて水蒸気から冷却された凝縮水と冷却水とを蓄積する蓄水部とを備え、
前記蒸気冷却室は、前記排気ガス導入部側に配設された噴霧範囲を側方から前記タービン排気ガスの通流方向の下流側までに制限して前記タービン排気ガスに対して冷却水噴霧を行う第１の冷却水噴霧機構と、
該第１の冷却水噴霧機構の下流側に配設された前記タービン排気ガスに対して全方向に冷却水を噴霧する第２の冷却水噴霧機構とを備えた
ことを特徴とする蒸気タービン用直接接触式復水器。
【請求項２】
前記第１の冷却水噴霧機構は、冷却水給水管に連通されて前記タービン排気ガスの導入方向と交差する方向に延長し、延長方向に複数のスプレーノズルを形成した複数の冷却水スプレー管を備えていることを特徴とする請求項１に記載の蒸気タービン用直接接触式復水器。
【請求項３】
前記第１の冷却水噴霧機構は、前記タービン排気ガスの通流経路に、隣接する冷却水スプレー管同士を前記タービン排気ガスと平行に連通する連通管を配置し、該連通管の下側に複数のスプレーノズルを形成したことを特徴とする請求項２に記載の蒸気タービン用直接接触式復水器。
【請求項４】
前記連通管に形成した複数のスプレーノズルは、冷却水を下方及び斜め下流側の少なくとも一方に噴射するように構成されていることを特徴とする請求項３に記載の蒸気タービン用直接接触式復水器。
【請求項５】
前記第２の冷却水噴霧機構は、冷却水給水管に連通されて前記タービン排気ガスの導入方向と交差する方向に延長し、延長方向に複数のスプレーノズルを形成した複数の冷却水スプレー管を備えていることを特徴とする請求項１乃至４の何れか１項に記載の蒸気タービン用直接接触式復水器。
【請求項６】
前記第２の冷却水噴霧機構の下流側及び側方側の少なくとも一方に、前記冷却水が噴霧された前記タービン排気ガスに残留する不凝縮ガスを流入させるガス冷却室を備え、
該ガス冷却室は、前記第２の冷却水噴霧機構の下流側及び側方側の一方に連通して形成され、前記タービン排気ガスに残留する不凝縮ガスに冷却水を噴霧する複数の第３の冷却水噴霧機構を備えている
ことを特徴とする請求項１乃至５の何れか１項に記載の蒸気タービン用直接接触式復水器。
【請求項７】
前記第２の冷却水噴霧機構と前記第３の冷却水噴霧機構との間に下側を開口した仕切板が配置されていることを特徴とする請求項２に記載の蒸気タービン用直接接触式復水器。
【請求項８】
前記蓄水部は、底部に復水ポンプへ接続する接続口が設けられ、前記復水ポンプの連続運転中は、水位を前記接続口が水没状態となる通常運転水位とこれよりは高い最高運転水位との間に制御し、当該復水ポンプの異常停止時における残留冷却水による水位上昇で前記最高運転水位を超えても前記排気ガス導入部の底部より低い異常時最高水位を超えないように蓄水容量が設定されていることを特徴とする請求項１乃至７の何れか１項に記載の蒸気タービン用直接接触式復水器。
【発明の詳細な説明】
【技術分野】
【０００１】
本発明は、蒸気タービンから排出される水蒸気と不凝縮ガスとを含むタービン排気ガスに冷却水を直接噴霧して冷却し復水させる蒸気タービン用直接接触式復水器に関する。
【背景技術】
【０００２】
この種の蒸気タービン用直接接触式復水器の一種である軸流排気タービン用直接接触式復水器は、軸流排気タービンから排出されるタービン排気ガスと冷却水を直接接触させて水蒸気を凝縮するようにしている。このため、冷却水が水蒸気に接触する面積を如何に増大するかが性能上重要であり、スプレーノズルを介して冷却水を空間に放出するとともに微粒化する。
【０００３】
また、水蒸気の流路を妨げる構造物の配置を最適なものとして、水蒸気流の圧力損失を最小にすることが重要である。
従来の軸流排気タービン用復水器としては、例えば、蒸気タービンの開口端と復水器との間を接続する排気ダクトを備え、この排気ダクトで蒸気タービンから略水平方向に排出された排気を、その通流方向を下向きに変更して復水器に上方から流入させる。そして、復水器内に排気の通流方向に沿う撒水部を設けるとともに、排気ダクト内にスプレー水防止体を設けるようにした構成が知られている（例えば、特許文献１参照）。
【０００４】
また、他の構成としては、蒸気冷却室内に、水蒸気と不凝縮ガスとを含むタービン排気ガスをほぼ水平方向に導入する導入部と、前記蒸気冷却室内に配置され、前記タービン排気ガスの導入方向に沿う複数のスプレー管に接続されて、前記タービン排気ガスに冷却水を噴霧する複数の第１のスプレーノズルと、前記蒸気冷却室内の下部に配置され、前記冷却水の噴霧によって、前記水蒸気から凝縮された凝縮水を蓄積する蓄水部とを備えた復水器が知られている（例えば、特許文献２参照）
【先行技術文献】
【特許文献】
【０００５】
【特許文献１】特開２００７−２３９６２号公報
【特許文献２】特開２０１０−２７０９２５号公報
【発明の概要】
【発明が解決しようとする課題】
【０００６】
ところで、上記特許文献１に記載された従来例にあっては、軸流排気タービンから水平方向に排出されるタービン排気ガスを排気ダクトで垂直方向に案内して復水器に上方から供給し、復水器内にタービン排気ガスの上方から下方への通流方向に沿って冷却水供給管を配置し、この冷却水供給管にノズル体を設けてタービン排気ガスの通流方向とは直交する方向に冷却水を噴霧するようにしている。そして、最上部のノズル体については、軸流排気タービンに近いノズルは扁平扇状の飛散ゾーンを有するノズルが配置され、その他の方向には円錐形状の飛散ゾーンを有するノズルが配置されている。さらに、排気ダクトにスプレー水防止体が設けられている。このため、軸流排気タービンに近いノズルでは扁平扇状の飛散ゾーンとなり、軸流排気タービン側へのスプレー水の飛散を抑制し、さらに排気ダクトにスプレー水防止体が設けられているので、スプレー水が軸流排気タービンのタービン翼に衝突して損傷するおそれを解消することができる。しかしながら、スプレー水の軸流排気タービンのタービン翼への衝突を回避するための構成が複雑となるとともに、排気ダクトにスプレー水防止体を設けることにより、タービン排気ガスの通流が阻害されるという未解決の課題がある。
【０００７】
一方、特許文献２に記載された従来例にあっては、軸流排気タービンから水平方向に排出されるタービン排気ガスを水平方向に配置した復水器に導入して、タービン排気ガス流の導入方向に沿う複数のスプレー管に複数の第１のスプレーノズルを接続することにより、タービン排気ガス流の導入方向と直交する方向に冷却水を噴霧するようにしているが、スプレー水の逆流に対する処置を行っていないので、スプレーノズルから円錐形状に噴霧された冷却水の一部が軸流排気タービンに達して、タービン翼を損傷するおそれがあるという未解決の課題がある。
【０００８】
そこで、本発明は、上記従来例の未解決の課題に着目してなされたものであり、蒸気タービンから水平方向に排出されるタービン排気ガスを水平方向に導入して冷却しながら、スプレーノズルから噴霧される冷却水が軸流タービンのタービン翼に到達することを確実に防止することができる蒸気タービン用直接接触式復水器を提供することを目的としている。
【課題を解決するための手段】
【０００９】
上記目的を達成するために、本発明に係る蒸気タービン用直接接触式復水器の第１の態様は、蒸気タービンの水蒸気と不凝縮ガスとを含むタービン排気ガスを水平方向に導入する排気ガス導入部と、該排気ガス導入部から導入された前記タービン排気ガスに対して冷却水を噴霧して冷却する蒸気冷却室と、該蒸気冷却室の下部に配置されて水蒸気から冷却された凝縮水と冷却水とを蓄積する蓄水部とを備えている。そして、前記蒸気冷却室は、前記排気ガス導入部側に配設された噴霧範囲を側方から前記タービン排気ガスの通流方向の下流側までに制限して前記タービン排気ガスに対して冷却水噴霧を行う第１の冷却水噴霧機構と、該第１の冷却水噴霧機構の下流側に配設された前記タービン排気ガスに対して全方向に冷却水を噴霧する第２の冷却水噴霧機構とを備えている。
【００１０】
また、本発明に係る蒸気タービン用直接接触式復水器の第２の態様は、前記第１の冷却水噴霧機構が、冷却水給水管に連通されて前記タービン排気ガスの導入方向と交差する方向に延長し、延長方向に複数のスプレーノズルを形成した複数の冷却水スプレー管を備えている。
また、本発明に係る蒸気タービン用直接接触式復水器の第３の態様は、前記第１の冷却水噴霧機構が、前記タービン排気ガスの通流経路に、隣接する冷却水スプレー管同士を前記タービン排気ガスと平行に連通する連通管を配置し、該連通管の下側に複数のスプレーノズルを形成した構成とされている。
【００１１】
また、本発明に係る蒸気タービン用直接接触式復水器の第４の態様は、前記連通管に形成した複数のスプレーノズルが、冷却水を下方及び斜め下流側の少なくとも一方に噴射するように構成されている。
また、本発明に係る蒸気タービン用直接接触式復水器の第５の態様は、前記第２の冷却水噴霧機構が、冷却水給水管に連通されて前記タービン排気ガスの導入方向と交差する方向に延長し、延長方向に複数のスプレーノズルを形成した複数の冷却水スプレー管を備えている。
【００１２】
また、本発明に係る蒸気タービン用直接接触式復水器の第６の態様は、前記第２の冷却水噴霧機構の下流側及び側方側の少なくとも一方に、前記冷却水が噴霧された前記タービン排気ガスに残留する不凝縮ガスを流入させるガス冷却室を備え、該ガス冷却室は、前記第２の冷却水噴霧機構の下流側及び側方側の一方に連通して形成され、前記タービン排気ガスに残留する不凝縮ガスに冷却水を噴霧する複数の第３の冷却水噴霧機構を備えている。
【００１３】
また、本発明に係る蒸気タービン用直接接触式復水器の第７の態様は、前記第２の冷却水噴霧機構と前記第３の冷却水噴霧機構との間に下側を開口した仕切板を配置した構成とされている。
また、本発明に係る蒸気タービン用直接接触式復水器の第８の態様は、前記蓄水部は、底部に復水ポンプへ接続する接続口が設けられ、前記復水ポンプの連続運転中は、水位を前記接続口が水没状態となる通常運転水位とこれよりは高い最高運転水位との間に制御し、当該復水ポンプの異常停止時における残留冷却水による水位上昇で前記最高運転水位を超えても前記排気ガス導入部の底部より低い異常時最高水位を超えないように蓄水容量が設定されている。
【発明の効果】
【００１４】
本発明によれば、蒸気タービンから水平方向に排出される水蒸気と不凝縮ガスとを含むタービン排気ガスを排気ガス導入部によって蒸気冷却室に、水平方向に導入し、この蒸気冷却室で、冷却水の噴霧方向が側方からタービン排気ガスの下流側までの噴霧範囲に制限した第１の冷却水噴霧機構と、この第１の冷却水噴霧機構の下流側にタービン排気ガスに対して全方向に冷却水を噴霧する第２の冷却水噴霧機構とを設けたので、タービン排気ガスをその排出方向のまま冷却しながら蒸気タービンへ噴霧冷却水が到達することを確実に防止することができるという効果が得られる。
【図面の簡単な説明】
【００１５】
【図１】本発明に係る蒸気タービン用直接接触式復水器の第１の実施形態を示す断面図である。
【図２】図1の復水器の天面板を取り外した平面図である。
【図３】第１の冷却水噴霧機構の拡大平面図である。
【図４】本発明に係る蒸気タービン用直接接触式復水器の第２の実施形態を示す断面図である。
【図５】図４の復水器の天面板を取り外した平面図である。
【図６】本発明に係る蒸気タービン用直接接触式復水器を側面排気型蒸気タービンに適用した場合を示す平面図である。
【図７】本発明に係る蒸気タービン用直接接触式復水器を両側面排気型蒸気タービンに適用した場合を示す平面図である。
【発明を実施するための形態】
【００１６】
以下、本発明の実施の形態を図面に基づいて説明する。
図１は、本発明に係る蒸気タービン用直接接触式復水器を軸流排気型蒸気タービンに適用した場合の第１の実施形態を示す断面図、図２は復水器の天面板を取り外した平面図である。
図中、１は軸流排気型蒸気タービンであって、この軸流排気型蒸気タービン１には、略水平に回転自在に保持されたタービン軸２に固定された複数の動翼３と、この動翼３と対峙し合うようにケーシング４に配設された複数の静翼５とが備えられている。タービン軸２のケーシング４外に突出する端部には発電機６の回転軸７が連結されている。
【００１７】
そして、軸流排気型蒸気タービン１のケーシング４の大径端部から水平方向に排出される水蒸気及び不凝縮ガスを含むタービン排気ガスが蒸気タービン用直接接触式復水器１０に導入される。
この蒸気タービン用直接接触式復水器１０は、軸流排気型蒸気タービン１のケーシング４から水平方向に排出されるタービン排気ガスを水平方向に導入する排気ガス導入部１１と、この排気ガス導入部１１の下流側に配置された水平方向に導入されるタービン排気ガスに対して冷却水を噴霧して冷却する蒸気冷却室１２と、この蒸気冷却室１２の下部に配置されて水蒸気から冷却された凝縮粋を蓄積する蓄水部１３と、蒸気冷却室１２の下流側にガス冷却室１４とが備えられている。
【００１８】
排気ガス導入部１１は、軸流排気型蒸気タービン１のケーシング４にベローズ１１ａを介して連結され、水平な天面板１１ｂと右下がりに傾斜する底面板１１ｃとテーパー状に広がる前面板１１ｄ及び１１ｅとでタービン排気ガスを水平方向に導入する軸方向に比較的短いダクト形状に構成されている。
蒸気冷却室１２は、図１及び図２に示すように、排気ガス導入部１１側に配置された第１の冷却水噴霧機構２１と、この第１の冷却水噴霧機構２１の下流側に連接する第２の冷却水噴霧機構３０とが配置されている。
【００１９】
第１の冷却水噴霧機構２１は、蒸気冷却室１２の底面側における前後方向の中央部に配置した冷却水を供給する給水本管２２と、この給水本管２２に直接又は分岐管２３を介して連結された３行２列（平面から見た場合）で計６本のスプレー配管２４とを備えている。ここで、スプレー配管２４は、水平方向に導入されるタービン排気ガスに対して上下方向に直交する方向に延長されている。
【００２０】
各スプレー配管２４には、タービン排気ガスと接触する上方側位置に所定間隔を保って５個のスプレーノズル２５が形成されている。これらスプレーノズル２５は、図３に示すように、スプレー配管２４の中心点を通る前後方向水平線Ｌ１に対して後方側となる外周面に冷却水噴霧方向が下流側となるように取付けられている。すなわち、スプレーノズル２５は、例えば前後方向水平線Ｌ１にスプレー配管２４の中心点で直交する水平線Ｌ２を挟んで±４５°の線上に半径方向に延長して形成されている。これらスプレーノズル２５は、例えば広角１００°の円錐形状の噴霧ゾーンで冷却水を噴霧する。このため、冷却水の噴霧方向は、スプレー配管２４の側方からタービン排気ガスの通流方向までの範囲に制限され、蒸気タービン１の動翼３側に向かう方向には冷却水が噴霧されない。なお、スプレーノズル２５の取付角度及び冷却水の噴霧角度は上記に限定されるものではなく、上記タービン１側に向かって冷却水が噴霧されなければ、取付角度及び冷却水の噴霧角度は任意に設定することができる。
【００２１】
そして、図１に示すように、タービン排気ガスの通流方向で隣接するスプレー配管２４同士が、スプレーノズル２５が形成されていない領域で連結管２６によって連結されている。また、最下流のスプレー配管２４とこれに対向する第２の冷却水噴霧機構１２のスプレー配管３１とが同様に連結管２７によって連結されている。そして、各連結管２６及び２７の下面側に下方又は斜め下流側に向けて冷却水を噴霧するスプレーノズル２８が形成されている。
【００２２】
また、第２の冷却水噴霧機構３０は、図２に示すように、平面から見てタービン排気ガスの通流方向に所定間隔を保って４列で、かつ前後方向に３行のマトリックスの交点上に
計１２本のスプレー配管３１がタービン排気ガスの通流方向と交差して上下方向に延長して配設されている。各列のスプレー配管３１は、前述した給水本管２２に直接又は分岐管３２を介して連結されて冷却水が供給される。これらスプレー配管３１には、タービン排気ガスと接触する上部側に所定間隔を保って５段にスプレーノズル３３が形成されている。各スプレーノズル３３は、図２に示すように、スプレー配管３１の円周方向に９０°の間隔で４個形成されている。そして、各スプレーノズル３３から例えば広角１００°の円錐形状の噴霧ゾーンを形成して冷却水が噴霧される。これによって、スプレー配管３１の周囲の全方向に冷却水を噴霧することができる。この場合でも、スプレーノズル３３の取付角度及び噴霧角度は任意に設定することができる。
【００２３】
さらに、ガス冷却室１４は、上記冷却室１２との間が下方側を開口した仕切板４０によって仕切られ、この仕切板４０を通じて導入されるタービン排気ガス（残りの不凝縮ガスと随伴蒸気）に上方から冷却水を噴霧する第３の冷却水噴霧機構４１が設けられている。
この第３の冷却水噴霧機構４１は、図１に示すように、中央部に給水本管２２に連結されて上方に延長する連結管４２が配設され、この連結管４２の上端に冷却水貯留部４３が連通されている。この冷却水貯留部４３には、下面に所定間隔を保って下方に冷却水を噴霧するスプレーノズル４４が形成されている。また、冷却水貯留部４３には、スプレーノズル４４が存在しない位置に、タービン排気ガスを冷却水貯留部４３の上方側のガス排出部４５に通過させる開口部４６が形成されている。ガス排出部４５には、前後方向及び右方向にタービン排気ガスを排出する排気口４７が形成されている。
【００２４】
さらにまた、蓄水部１３は、蒸気冷却室１２及びガス冷却室１４の下方に、掘り込んで形成され、その底部中央部に外部の復水ポンプ５０に接続される接続口５１が形成されている。この蓄水部１３は、復水ポンプ５０の連続運転中は、水位を前記接続口が水没状態となる通常運転水位とこれよりは高い最高運転水位との間に制御する。そして、停電や故障等により復水ポンプ５０が異常停止したときには、例えば給水本管２２に設けた冷却水供給弁（図示せず）を閉状態に切換えるまでの閉鎖時間に通過する冷却水と、冷却水供給弁以降の給水本管２２、分岐管２３、スプレー配管２４、連結管２６および２７、スプレー配管３１、連結管４２及び冷却水貯水部４３における残留冷却水による水位上昇で前記最高運転水位を超えても前記排気ガス導入部の底部より低い異常時最高水位を超えないように蓄水容量が設定されている。
【００２５】
次に、上記第１の実施形態の動作を説明する。
軸流排気型蒸気タービン１及び蒸気タービン用直接接触式復水器１０がともに稼動状態にある状態では、軸流排気型蒸気タービン１のケーシング４から水平方向に排出される水蒸気と不凝縮ガスとを含むタービン排気ガスが蒸気タービン用直接接触式復水器１０に導入される。この蒸気タービン用直接接触式復水器１０では、排気ガス導入部１１でタービン排気ガスが水平方向の通流方向を保ったまま導入され、このタービン排気ガスを下流側の蒸気冷却室１２に供給する。
【００２６】
この蒸気冷却室１２では、排気ガス導入部１１側に第１の冷却水噴霧機構２１が配置されている。この第１の冷却水噴霧機構２１では、タービン排気ガスを横切って上下方向に延長するスプレー配管２４の後方側にスプレーノズル２５が形成されている。このため、各スプレーノズルから噴霧される冷却水の噴霧ゾーンが前後のスプレー配管２４の中心点を結ぶ水平線Ｌ１より後方側で、側方からタービン排気ガスの下流方向となる噴霧領域に限定されている。したがって、スプレーノズル２５から噴霧される冷却水が軸流排気型蒸気タービン１の動翼３側に向かうことはなく、別途噴霧冷却水の逆流を防止する機構を設ける必要がない。このため、軸流排気型蒸気タービン１から排気されるタービン排気ガスを少ない管路抵抗で円滑に第１の冷却水噴霧機構２１に導入することができる。このとき、スプレーノズル２５から噴霧される冷却水の噴霧方向は厳密にタービン排気ガスの通流方向と直交する方向から下流側に制限する必要はなく、タービン排気ガスの流力で押し戻されるので、多少上流側に向けて噴霧するようにしてもよい。
【００２７】
この第１の冷却水噴霧機構２１で噴霧される冷却水により、タービン排気ガスに含まれる水蒸気の一部が冷却されて凝縮水となって蓄水部１３に蓄積される。この第１の冷却水噴霧機構２１では、上下方向に配置したスプレー配管２４の他に、連結管２６及び２７にもスプレーノズル２８を配置したので、この分タービン排気ガスの冷却効果を向上させることができる。しかも、スプレーノズル２８から噴霧する冷却水の噴霧方向を斜め下流方向とすることにより、軸流排気型蒸気タービン１への冷却水の逆流を確実に防止することができる。
【００２８】
そして、第１の冷却水噴霧機構２１を通過したタービン排気ガスは、第２の冷却水噴霧機構２１に入り、１２本のスプレー配管３１に設けられた５段のスプレーノズル３３からスプレー配管３１の周囲の全方位に冷却水が噴霧される。このため、タービン排気ガスに残留している水蒸気が冷却されてほとんどが凝縮水となって蓄水部１３に蓄積される。
この第２の冷却水噴霧機構３０で水蒸気のほとんどが凝縮水として除去されることにより、タービン排気ガスの残りの不凝縮ガスと随伴蒸気が、仕切板４０下方の開口部からガス冷却室１４に導入される。このガス冷却室１４でも上方に形成された冷却水貯留部４３の下面に形成されたスプレーノズル４４から冷却水が下方に向けて噴霧されることにより、不凝縮ガスが冷却されて、冷却水貯留部４３に形成された開口部４６を通じてガス排出部４５に導かれ、各排気口４７から外部に排出される。
【００２９】
一方、蓄水部１３に蓄積された凝縮水及び冷却水は、復水ポンプ５０が連続運転されることにより、水位が復水ポンプ５０との接続口５１が水没する通常運転水位とこれより高い最高運転水位との間に制御される。
この状態で、停電や故障等によって復水ポンプ５０が異常停止したときには、給水本管２２に設けられた冷却水供給弁（図示せず）が自動的に閉じられるが、この冷却水供給弁が全閉状態となるまでの閉鎖時間に供給される冷却水と、冷却水供給弁以降の給水本管２２、分岐管２３、スプレー配管２４、連結管２６および２７、スプレー配管３１、連結管４２及び冷却水貯水部４３に残留する冷却水が蓄水部１３に蓄積されることになる。このとき、蓄水部１３の蓄水容量が復水ポンプ５０の停止時の冷却水の増加分を吸収しても、異常時最高水位が排気ガス導入部１１の底部に達しないように蓄水部１３の蓄水容量が設定されているので、軸流排気型蒸気タービン１への冷却水の逆流を確実に防止することができる。
【００３０】
次に、本発明の第２の実施形態を図４及び図５について説明する。
この第２の実施形態では、ガス冷却室１４を蒸気冷却室１２のタービン排気ガスの通流方向の下流側に設ける場合に代えて蒸気冷却室１２の側面に設けるようにしたものである。
すなわち、第２の実施形態では、図４及び図５に示すように、蒸気冷却室１２における第２の冷却水噴霧機構３０のタービン排気ガスの通流方向の端部が閉塞され、これに代えて、第２の冷却水噴霧機構３０の右端側の２列のスプレー配管３１に対向する前後両側面に前述した仕切板４０を介して、ガス冷却室１４が連通されていることを除いては、前述した第１の実施形態と同様の構成を有する。ここで、前後のガス冷却室１４には、給水本管２２から分岐管６０によって冷却水が供給されている。
【００３１】
この第２の実施形態によっても、蒸気冷却室１２の第２の冷却水噴霧機構３０でスプレーノズル３３によって全方位に噴霧された冷却水によってタービン排気ガスに含まれる水蒸気のほとんどが冷却されて凝縮水となって蓄水部１３に蓄積される。この第２の冷却水噴霧機構３０で水蒸気が除去されて、残りの不凝縮ガスと随伴蒸気は前後両側のガス冷却室１４で冷却されガス排出部４５から外部に排出される。このため、上記第２の実施形態でも、上述した第１の実施形態と同様の作用効果を得ることができる。
【００３２】
なお、上記第１及び第２の実施形態においては、蒸気冷却室１２から排出される水蒸気が除去されたタービン排気ガスをガス冷却室１４に導いて冷却する場合について説明したが、これに限定されるものではなく、第２の冷却水噴霧機構３０で冷却されたタービン排気ガスの温度が低い場合には、ガス冷却室１４を省略することができる。
【００３３】
また、上記第１及び第２の実施形態においては、本発明による蒸気タービン用直接接触式復水器１０を軸流排気型蒸気タービン１に適用した場合について説明したが、これに限定されるものではない。すなわち、図６に示すように、側面排気型の蒸気タービン７０に本発明による蒸気タービン用直接接触式復水器１０を接続することもできるし、図７に示すように、両側面排気型の蒸気タービン７１の両側面にそれぞれ本発明による蒸気タービン用直接接触式復水器１０を接続することもできる。
【符号の説明】
【００３４】
１…軸流排気型蒸気タービン、２…タービン軸、３…動翼、４…ケーシグ、５…静翼、６…発電機、１０…蒸気タービン用直接接触式復水器、１１…排気ガス導入部、１２…蒸気冷却室、１３…蓄水部、１４…ガス冷却室、２１…第１の冷却水噴霧機構、２２…給水本管、２３…分岐管、２４…スプレー配管、２５…スプレーノズル、２６，２７…連結管、２８…スプレーノズル、３０…第２の冷却水噴霧機構、３１…スプレー配管、３２…分岐管、３３…スプレーノズル、４１…第３の冷却水噴霧機構、４２…連結管、４３…冷却水貯留部、４４…スプレーノズル、４５…ガス排出部、５０…復水ポンプ、５１…接続口
【図１】
0005794005.tif 000002
【図２】
0005794005.tif 000003
【図３】
0005794005.tif 000004
【図４】
0005794005.tif 000005
【図５】
0005794005.tif 000006
【図６】
0005794005.tif 000007
【図７】
0005794005.tif 000008